(57)【要約】【課題】検査結果として保存されたデータの管理に係る利便性を向上させる。【解決手段】心電計２は、被検者の心電図検査に用いられる。入力インターフェース２１は、心電図に対応する信号ＳＧを受け付ける。ディスプレイ２３は、検査中に信号ＳＧに対応する情報をリアルタイムに表示する。ストレージ２４は、当該情報に対応するデータを保存する。通信インターフェース２５は、外部装置３と通信可能に接続される。プロセッサ２２は、外部装置３からの閲覧要求ＢＲを通信インターフェース２５が受け付けると、前記情報を閲覧可能にするデータファイルＤＦをストレージ２４に保存されたデータに基づいて生成し、データファイルＤＦを、通信インターフェース２５を通じて外部装置３へ送信する。【選択図】図２
2020178917.tif 000002
【特許請求の範囲】
【請求項１】
被検者の生体情報の検査に用いられる検査装置であって、
前記生体情報に対応する信号を受け付ける入力インターフェースと、
前記検査中に前記信号に対応する情報をリアルタイムに表示するディスプレイと、
前記情報に対応するデータを保存するストレージと、
外部装置と通信可能に接続される通信インターフェースと、
前記外部装置からの要求を前記通信インターフェースが受け付けると、前記情報を閲覧可能にするデータファイルを前記データに基づいて生成し、前記通信インターフェースを通じて当該データファイルを前記外部装置へ送信するプロセッサと、
を備えている、
検査装置。
【請求項２】
前記プロセッサは、前記外部装置からの閲覧態様の変更要求に応じて、送信される前記データファイルの構成を変更する、
請求項１に記載の検査装置。
【請求項３】
前記プロセッサは、前記データファイルの一部として前記情報の分析結果を提供する、
請求項１または２に記載の検査装置。
【請求項４】
前記データファイルは、ｐｄｆ形式に基づいている、
請求項１から３のいずれか一項に記載の検査装置。
【請求項５】
前記生体情報は、心電図または脳波であり、
前記ディスプレイに表示された情報を印刷するプリンタを備えている、
請求項１から４のいずれか一項に記載の検査装置。
【請求項６】
被検者の生体情報の検査に用いられる検査装置の動作方法であって、
前記生体情報に対応する信号を受け付け、
前記検査中に前記信号に対応する情報をディスプレイにリアルタイムに表示させ、
前記情報に対応するデータを保存し、
外部装置からの要求に応じて、前記情報を閲覧可能にするデータファイルを前記データに基づいて生成し、
前記データファイルを前記外部装置へ送信する、
制御方法。
【請求項７】
被検者の生体情報の検査に用いられる検査装置の動作を制御するコンピュータプログラムであって、
前記コンピュータプログラムが実行されることにより、前記検査装置に、
前記生体情報に対応する信号を受け付けさせ、
前記検査中に前記信号に対応する情報をディスプレイにリアルタイムに表示させ、
前記情報に対応するデータを保存させ、
外部装置からの要求に応じて、前記情報を閲覧可能にするデータファイルを前記データに基づいて生成させ、
前記データファイルを、前記外部装置へ送信させる、
コンピュータプログラム。
【発明の詳細な説明】
【技術分野】
【０００１】
本発明は、被検者の生体情報の検査に用いられる検査装置に関連する。本発明は、当該検査装置の動作方法、および当該検査装置の動作を制御するコンピュータプログラムにも関連する。
【背景技術】
【０００２】
特許文献１は、このような検査装置の一例として心電計を開示している。心電計は、被検者に装着された複数の電極を通じて当該被検者の心電図に対応する信号を取得する。心電計は、表示部を備えている。検査中に取得された信号に対応する心電図波形は、表示部にリアルタイムに表示される。当該心電図波形に対応するデータは、検査結果としてメモリカードなどのストレージに保存される。
【先行技術文献】
【特許文献】
【０００３】
【特許文献１】特開２０１８−１７１２３９号公報
【発明の概要】
【発明が解決しようとする課題】
【０００４】
本発明の目的は、検査結果として保存されたデータの管理に係る利便性を向上させることである。
【課題を解決するための手段】
【０００５】
上記の目的を達成するための一態様は、被検者の生体情報の検査に用いられる検査装置であって、
前記生体情報に対応する信号を受け付ける入力インターフェースと、
前記検査中に前記信号に対応する情報をリアルタイムに表示するディスプレイと、
前記情報に対応するデータを保存するストレージと、
外部装置と通信可能に接続される通信インターフェースと、
前記外部装置からの要求を前記通信インターフェースが受け付けると、前記情報を閲覧可能にするデータファイルを前記データに基づいて生成し、前記通信インターフェースを通じて当該データファイルを前記外部装置へ送信するプロセッサと、
を備えている。
【０００６】
ストレージに保存されたデータに基づいて過去にディスプレイに表示された情報の閲覧を可能にするデータファイルを生成し、当該データファイルを外部装置へ送信する一連の処理は、ディスプレイにおける心電図波形のリアルタイム表示とは独立して行なわれる。すなわち、クライアント端末としての外部装置に対するサーバとして心電計を機能させることができる。よって、ある被検者の心電図検査に心電計が使用されている状況においても、外部装置は、当該被検者について行なわれた別の検査、あるいは別の被検者について行なわれた検査の結果を閲覧できる。したがって、検査結果として保存されたデータの管理に係る利便性を向上させることができる。
【０００７】
本明細書で用いられる「リアルタイムに表示する」という表現は、検査中における被検者の状態の経時変化がディスプレイにおける表示の経時変化に反映されることを意味する。当該表現は、被検者における生体情報の取得からディスプレイにおける情報の表示までの間に信号処理や表示処理に伴う多少の遅延が生じる場合を含みうる。
【０００８】
上記の目的を達成するための一態様は、被検者の生体情報の検査に用いられる検査装置の動作方法であって、
前記生体情報に対応する信号を受け付け、
前記検査中に前記信号に対応する情報をディスプレイにリアルタイムに表示させ、
前記情報に対応するデータを保存し、
外部装置からの要求に応じて、前記情報を閲覧可能にするデータファイルを前記データに基づいて生成し、
前記データファイルを前記外部装置へ送信する。
【０００９】
上記の目的を達成するための一態様は、被検者の生体情報の検査に用いられる検査装置の動作を制御するコンピュータプログラムであって、
前記コンピュータプログラムが実行されることにより、前記検査装置に、
前記生体情報に対応する信号を受け付けさせ、
前記検査中に前記信号に対応する情報をディスプレイにリアルタイムに表示させ、
前記情報に対応するデータを保存させ、
外部装置からの要求に応じて、前記情報を閲覧可能にするデータファイルを前記データに基づいて生成させ、
前記データファイルを、前記外部装置へ送信させる。
【図面の簡単な説明】
【００１０】
【図１】一実施形態に係る心電図管理システムの構成を例示している。
【図２】上記の心電図管理システムを構成する心電計の構成を例示している。
【図３】上記の心電計におけるプロセッサの動作を例示している。
【図４】外部装置において閲覧される画像を例示している。
【図５】外部装置において閲覧される画像を例示している。
【図６】外部装置において閲覧される画像を例示している。
【発明を実施するための形態】
【００１１】
添付の図面を参照しつつ、実施形態の例を以下詳細に説明する。各図面においては、説明対象の各要素を認識可能な大きさとするために縮尺を適宜変更している。
【００１２】
図１は、一実施形態に係る心電図管理システム１の構成を例示している。心電図管理システム１は、心電計２と外部装置３を含んでいる。心電計２と外部装置３は、通信ネットワーク４を介して通信可能に接続されている。通信ネットワーク４は、医療施設内に設置された構内ネットワーク（ＬＡＮ）とインターネットなどの広域ネットワーク（ＷＡＮ）の少なくとも一方を含みうる。
【００１３】
心電計２は、被検者の心電図検査に使用される検査装置の一例である。外部装置３は、心電計２との通信に加えて表示装置に情報を表示させることができる装置である。表示装置は、外部装置３の一部として提供されてもよいし、外部装置３とは別体として提供されてもよい。
【００１４】
図２は、心電計２の機能構成を例示している。心電計２は、被検者に装着されたセンサ５を通じて、当該被検者の心電図に対応する信号ＳＧを取得する。具体的には、センサ５は、被検者における複数の身体部位に装着される複数の電極を含む。したがって、信号ＳＧは、各電極が装着された身体部位の電位に対応する複数の信号を含む。
【００１５】
心電計２は、入力インターフェース２１とプロセッサ２２を備えている。入力インターフェース２１は、センサ５から出力された信号ＳＧを受け付ける。プロセッサ２２は、入力インターフェース２１により受け付けられた信号ＳＧに基づいて、後述する各種の処理を実行する。入力インターフェース２１は、必要に応じて、プロセッサ２２が処理可能な形態に信号ＳＧを変換する適宜の信号処理回路を含みうる。
【００１６】
心電計２は、ディスプレイ２３を備えている。ディスプレイ２３は、検査中において信号ＳＧに対応する心電図波形をリアルタイムに表示する。プロセッサ２２は、信号ＳＧの電位の経時変化を、心電図波形としてディスプレイ２３に表示させる。心電図波形は、信号に対応する情報の一例である。
【００１７】
心電計２は、ストレージ２４を備えている。プロセッサ２２は、ディスプレイ２３に表示された情報に対応するデータを生成し、検査結果としてストレージ２４に保存する。ストレージ２４は、ハードディスク装置や半導体メモリにより実現されうる。ストレージ２４は、心電計２に対して着脱可能とされてもよい。
【００１８】
データは、一度の検査を単位としてストレージ２４に保存される。すなわち、ストレージ２４は、少なくとも一人の被検者について行なわれた少なくとも一度の検査の結果に対応するデータを保存する。
【００１９】
心電計２は、通信インターフェース２５を備えている。通信インターフェース２５は、通信ネットワーク４を通じた外部装置３との通信を可能にするように構成されている。外部装置３との通信は、有線接続を介して行なわれてもよいし、無線通信を介して行なわれてもよい。
【００２０】
心電計２は、プリンタ２６を備えている。プリンタ２６は、ディスプレイ２３に表示された心電図波形を、記録紙に印刷するように構成されている。プリンタ２６の動作は、プロセッサ２２により制御される。
【００２１】
心電計２は、通信バス２７を備えている。通信バス２７は、入力インターフェース２１、プロセッサ２２、ディスプレイ２３、ストレージ２４、通信インターフェース２５、およびプリンタ２６の間で、信号やデータの相互通信を可能にしている。
【００２２】
外部装置３は、表示装置上でのデータの閲覧を可能にするソフトウェアとしてのブラウザを起動できるように構成されている。ブラウザによる閲覧の対象は、特定の心電図検査の結果である。外部装置３のユーザは、心電計２に対して検査結果の閲覧を要求しうる。例えば、ブラウザ上で動作するアプリケーションを起動することにより、外部装置３から通信ネットワーク４へ閲覧要求ＢＲが出力されうる。閲覧要求ＢＲは、心電計２の通信インターフェース２５により受信される。
【００２３】
図３は、プロセッサ２２により実行される処理を例示している。当該処理は、ディスプレイ２３における心電図波形のリアルタイム表示とは独立して行なわれる。換言すると、プロセッサ２２による当該処理が行なわれている間も、心電図検査が続行されうる。プロセッサ２２は、通信インターフェース２５が閲覧要求ＢＲを受け付けたかを判断する（ＳＴＥＰ１）。閲覧要求ＢＲが受け付けられたと判断されるまで、当該処理が繰り返される（ＳＴＥＰ１においてＮＯ）。
【００２４】
通信インターフェース２５が閲覧要求ＢＲを受け付けたと判断されると（ＳＴＥＰ１においてＹＥＳ）、プロセッサ２２は、ストレージ２４に保存されたデータに基づいて、閲覧要求ＢＲに応じた情報の閲覧を可能にするデータファイルＤＦを生成する（ＳＴＥＰ２）。
【００２５】
データファイルＤＦは、例えば、検査結果の一覧を含みうる。検査結果の一覧は、検査が行なわれた日時、被検者の識別番号、被検者の名前、被検者の性別などを情報として含みうる。プロセッサ２２は、これらの情報に対応するデータをストレージ２４から読み出し、これらの情報を閲覧可能とする態様のデータファイルＤＦを作成する。
【００２６】
続いてプロセッサ２２は、生成されたデータファイルＤＦを、通信インターフェース２５を通じて外部装置３へ送信する（ＳＴＥＰ３）。
【００２７】
外部装置３は、受信したデータファイルＤＦに基づいて、検査結果の一覧を示す画像３１をブラウザに表示させる。図４は、画像３１の一例を示している。前述の通り、一覧は、検査が行なわれた日時、被検者の識別番号、被検者の名前、被検者の性別などを情報として含みうる。また、画像３１は、選択用のチェックボックス３１ａと送信ボタン画像３１ｂを含みうる。外部装置３のユーザは、閲覧を希望する少なくとも一つの検査を選択できる。図示の例においては「Ｎｏ．２」の検査のみが選択されている。ユーザは、選択が完了すると、送信ボタン画像３１ｂをクリック操作またはタッチ操作する。
【００２８】
この操作により、選択された検査結果の閲覧を要求する閲覧要求ＢＲが外部装置３から出力される。上記と同様にして、当該閲覧要求ＢＲは、心電計２の通信インターフェース２５に受信される（図３のＳＴＥＰ１）。プロセッサ２２は、ストレージ２４に保存されたデータに基づいて、選択された検査結果の閲覧を可能にするデータファイルＤＦを生成する（図３のＳＴＥＰ２）。
【００２９】
選択された検査結果は、例えば、過去にディスプレイ２３に表示された心電図波形の画像を含みうる。プロセッサ２２は、当該画像に対応するデータをストレージ２４から読み出し、当該画像を閲覧可能とする態様のデータファイルＤＦを作成する。プロセッサ２２は、生成されたデータファイルＤＦを、通信インターフェース２５から外部装置３へ送信する（図３のＳＴＥＰ３）。
【００３０】
外部装置３は、受信したデータファイルＤＦに基づいて、選択された検査の結果を含む画像３２をブラウザに表示させる。図５の（Ａ）は、画像３２の一例を示している。画像３２は、検査結果画像３２ａを含んでいる。検査結果画像３２ａは、従来からの手法により記録紙に記録される心電図波形に対応している。
【００３１】
前述したように、ストレージ２４に保存されたデータに基づいて過去にディスプレイ２３に表示された情報の閲覧を可能にするデータファイルＤＦを生成し、当該データファイルＤＦを外部装置３へ送信する一連の処理は、ディスプレイ２３における心電図波形のリアルタイム表示とは独立して行なわれる。すなわち、クライアント端末としての外部装置３に対するサーバとして心電計２を機能させることができる。よって、ある被検者の心電図検査に心電計２が使用されている状況においても、外部装置３は、当該被検者について行なわれた別の検査、あるいは別の被検者について行なわれた検査の結果を閲覧できる。したがって、検査結果として保存されたデータの管理に係る利便性を向上させることができる。
【００３２】
特に心電計２の場合、検査結果は記録紙に印刷されることが一般的である。特に記録紙として感熱紙が用いられる場合、熱により劣化しやすいので、長期間の保存管理に注意を要する。上記のような構成によれば、紙への記録に依存することなく必要なときに検査結果を閲覧できるので、データの管理に係る負担を軽減できる。また、必要な場合にのみ記録紙への印刷を行なえばよいので、紙資源の節約に資する。外部装置３においてのみデータの閲覧が行なえればよいのであれば、プリンタ２６は省略可能である。
【００３３】
図５の（Ａ）に示されるように、画像３２は、検査結果画像３２ａに加えて、各種の表示設定を変更するための複数のボタン画像３２ｂ〜３２ｅを含みうる。
【００３４】
ボタン画像３２ｂは、表示感度を変更するために操作される。「表示感度」は、単位電圧あたりの記録紙における縦軸方向の長さに対応する尺度である。例えば、ボタン画像３２ｂがクリック操作またはタッチ操作されることにより、表示感度が１０ｍｍ／ｍＶと２０ｍｍ／ｍＶとの間で切り替えられる。
【００３５】
ボタン画像３２ｃは、表示速度を変更するために操作される。「表示速度」は、記録紙の送り速度に対応する尺度である。検査結果画像３２ａにおいては、単位時間に対応する横軸方向の長さに対応する。例えば、ボタン画像３２ｃがクリック操作またはタッチ操作されることにより、表示速度が２５ｍｍ／秒と５０ｍｍ／秒との間で切り替えられる。
【００３６】
ボタン画像３２ｄは、表示フィルタを変更するために操作される。「表示フィルタ」は、信号ＳＧに混入した雑音を除去するために用いられる。例えば、ボタン画像３２ｄがクリック操作またはタッチ操作されることにより、表示フィルタのフィルタリング周波数がが、例えば２５Ｈｚ、３５Ｈｚ、７５Ｈｚ、１００Ｈｚ、および１５０Ｈｚの間で切り替えられる。
【００３７】
ボタン画像３２ｅは、表示チャネルを変更するために操作される。「表示チャネル」は、心電図を構成する複数の誘導波形が縦方向に並べられる数と横方向に並べられる数をそれぞれ指定するために用いられる。例えば１２チャネルの誘導波形が表示される場合、ボタン画像３２ｅがクリック操作またはタッチ操作されることにより、３チャネルの誘導波形を４列に並べて表示する態様、６チャネルの誘導波形を２列に並べて表示する態様、および１２チャネルの誘導波形を１列に並べて表示する態様の間で切り替えられる。
【００３８】
ボタン画像３２ｂ〜３２ｅのいずれかが操作されると、図２に示されるように、外部装置３は、閲覧態様を変更する変更要求ＣＲを出力しうる。この場合、図３に示されるように、プロセッサ２２は、データファイルＤＦの送信後に通信インターフェース２５が変更要求ＣＲを受け付けたかを判断しうる（ＳＴＥＰ４）。変更要求ＣＲが受け付けられたと判断されなければ（ＳＴＥＰ４においてＮＯ）、処理は終了する。
【００３９】
通信インターフェース２５が変更要求ＣＲを受け付けたと判断されると（ＳＴＥＰ４においてＹＥＳ）、プロセッサ２２は、ストレージ２４に保存されたデータに基づいて、変更要求ＣＲに応じた閲覧を可能にするデータファイルＤＦを生成する（ＳＴＥＰ２）。すなわち、プロセッサ２２は、送信されるデータファイルＤＦの構成を、変更要求ＣＲに応じて変更する。
【００４０】
続いてプロセッサ２２は、生成されたデータファイルＤＦを、通信インターフェース２５を通じて外部装置３へ送信する（ＳＴＥＰ３）。
【００４１】
例えば、図５の（Ａ）に例示される画像３２においては、表示感度が１０ｍｍ／ｍＶに設定されている。ボタン画像３２ｂが操作されて表示感度が２０ｍｍ／ｍＶに変更されると、図５の（Ｂ）に示されるように、検査結果画像３２ａが変化する。
【００４２】
このような構成によれば、外部装置３から検査結果の表示態様をインタラクティブに変更し、最適な閲覧環境を得ることができる。したがって、検査結果として保存されたデータの管理に係る利便性を向上させることができる。
【００４３】
特に記録紙に検査結果が印刷される場合、表示態様を変更するためには再印刷が必要になる。上記のようにインタラクティブな表示態様の変更が許容されることにより、記録紙への印刷を必要最小限に留めることができる。
【００４４】
プロセッサ２２は、ストレージ２４に保存されたデータに基づいて、ディスプレイ２３に表示された情報の分析結果を提供しうる。提供される情報の例としては、取得された心電図波形に対する所見（洞調律、不整脈、頻脈、徐脈、心室期外収縮など）、代表計測値、各誘導波形を時間平均化処理して得られた波形（アベレージ波形）、収集した全時間の波形を指定した誘導で表示した波形（リズム波形）などが挙げられる。
【００４５】
プロセッサ２２は、図５に例示された検査結果に加えてあるいは代えて、この分析結果を含むようにデータファイルＤＦを生成しうる。図６は、分析結果を含むデータファイルＤＦに基づいてブラウザに表示された画像３３を例示している。画像３３は領域３３ａ〜３３ｃを含んでいる。領域３３ａは、所見と代表計測値を情報として含んでいる。領域３３ｂは、アベレージ波形を情報として含んでいる。領域３３ｃは、リズム波形を情報として含んでいる。すなわち、分析結果に含まれる心電図波形は、図５に例示された検査結果に含まれる心電図波形（ディスプレイ２３にリアルタイム表示された波形）とは異なりうる。
【００４６】
心電計２と外部装置３は、ウェブシステム上で動作するように構成されていることが好ましい。この場合、外部装置３において動作するブラウザは、汎用のウェブブラウザでありうる。心電計２は、クライアント端末としての外部装置に対してウェブサーバのように機能しうる。このような構成によれば、外部装置３として汎用の端末装置を使用できる。検査結果の閲覧に専用の端末装置や専用の閲覧ソフトウェアを使用する必要がないので、検査結果として保存されたデータの管理に係る利便性を向上させることができる。
【００４７】
プロセッサ２２により生成されるデータファイルＤＦは、ソフトウェア間での互換性が高いｐｄｆ形式に基づいていることが好ましい。このような構成によっても、汎用端末装置の外部装置３としての使用を容易にできる。
【００４８】
上記のような機能を有するプロセッサ２２は、汎用メモリと共同して動作する汎用マイクロプロセッサにより実現されうる。汎用マイクロプロセッサとしては、ＣＰＵやＭＰＵが例示されうる。汎用メモリとしてはＲＡＭやＲＯＭが例示されうる。この場合、ＲＯＭには、上記の処理を実行するコンピュータプログラムが記憶されうる。プロセッサ２２は、ＲＯＭ上に記憶されたコンピュータプログラムの少なくとも一部を指定してＲＡＭ上に展開し、ＲＡＭと協働して上述の処理を実行する。ストレージ２４の一部は、上記の汎用メモリとして使用されてもよい。プロセッサ２２は、上述の処理を実現するコンピュータプログラムを実行可能なマイクロコントローラ、ＡＳＩＣ、ＦＰＧＡなどの専用集積回路によって実現されてもよい。プロセッサ２２は、汎用マイクロプロセッサと専用集積回路の組合せによって実現されてもよい。
【００４９】
前述のように、汎用マイクロプロセッサと協働する汎用メモリやストレージ２４の一部は、心電計２の動作を制御するコンピュータプログラムを記憶している記憶媒体になりうる。しかしながら、心電計２は、通信ネットワーク４を介して不図示の外部サーバと通信可能に構成されうる。この場合、上記のコンピュータプログラムは、当該外部サーバから通信ネットワーク４を介してダウンロードされうる。当該外部サーバは、心電計２の動作を制御するコンピュータプログラムを記憶している記憶媒体になりうる。
【００５０】
上記の実施形態は、本発明の理解を容易にするための例示にすぎない。上記の実施形態に係る構成は、本発明の趣旨を逸脱しなければ、適宜に変更・改良されうる。
【００５１】
ディスプレイ２３に表示された情報が記録紙に印刷される検査装置としては、心電計以外に脳波計が挙げられる。したがって、上記の構成は、脳波計に適用された場合においても有利な効果が得られる。しかしながら、上記の構成は、記録紙への印刷を伴わない検査装置に対しても適用可能である。
【符号の説明】
【００５２】
２：心電計、２１：入力インターフェース、２２：プロセッサ、２３：ディスプレイ、２４：ストレージ、２５：通信インターフェース、２６：プリンタ、３：外部装置、ＳＧ：信号、ＢＲ：閲覧要求、ＣＲ：変更要求、ＤＦ：データファイル
【図１】
2020178917.tif 000003
【図２】
2020178917.tif 000004
【図３】
2020178917.tif 000005
【図４】
2020178917.tif 000006
【図５】
2020178917.tif 000007
【図６】
2020178917.tif 000008